(57)【要約】【課題】ネットワーク形態の変化に伴うプロテクション機能の再設定処理にかかる手順を簡略化し、これにより運用面での便宜の向上を図った伝送システムとその監視制御装置およびプロテクション機能の設定更新方法を提供する。【解決手段】リングネットワークの形態が変化するとその旨を認識処理部６５ａにより認識し、それを受けて設定メッセージ生成処理部６５ｂにより、ネットワーク形態の変化に対応してＡＰＳを再設定するための設定メッセージを生成する。この設定メッセージを伝達処理部６５ｃにより各ノード１−１〜１−ｎに伝達し、各ノード１−１〜１−ｎの記憶部６に記憶されるＡＰＳ設定テーブル６ａを更新することによりＡＰＳの設定を自動的に更新する。【選択図】　　　図４
2004140571.tif 000002
【特許請求の範囲】
【請求項１】
サービストラフィックを伝送するサービスラインと、このサービスラインの予備リソースであるプロテクションラインとを具備する伝送システムにおいて、
前記サービスラインとプロテクションラインとが敷設されるセグメントを介して配設され、前記セグメントの状態によりフルリングまたはパーシャルリングのいずれかの形態をとるネットワークを形成する複数のノード装置と、
前記ネットワークに対してＯＡＭ（Ｏｐｅｒａｔｉｏｎｓ，　Ａｄｍｉｎｉｓｔｒａｔｉｏｎ　ａｎｄ　Ｍａｉｎｔｅｎａｎｃｅ）サービスを提供する監視制御装置とを具備し、
前記ネットワークは、
前記フルリングにおいてのみ動作可能なリング型機能と、前記パーシャルリングにおいては動作可能なセグメントを制限されるスパン型機能とを有し、障害の発生形態に応じていずれかの機能を動作させて前記サービストラフィックを前記プロテクションラインを利用して前記障害から救済するプロテクション機能を備え、
前記監視制御装置は、
前記複数のノード装置からそれぞれ通知される通知情報をもとに前記ネットワークの形態を認識する認識手段と、
この認識手段により認識される前記ネットワークの形態に応じて、前記セグメントごとに前記プロテクション機能のロックアウトまたはロックアウトのリリースを前記リング型機能およびスパン型機能ごとに設定するための設定メッセージを生成する設定メッセージ生成手段と、
この設定メッセージ生成手段で生成された設定メッセージを前記複数のノード装置にそれぞれ伝達する伝達手段とを備え、
前記複数のノード装置の各々は、
前記伝達手段により伝達された設定メッセージに応じて、自装置における前記プロテクション機能の設定を前記リング型機能およびスパン型機能のそれぞれごとに変更する設定変更手段を備えることを特徴とする伝送システム。
【請求項２】
前記設定メッセージ生成手段は、前記認識手段による認識の結果前記ネットワークが前記フルリングから前記パーシャルリングに変化した場合に、全てのセグメントにおいて前記リング型機能をロックアウトするコマンドと、当該パーシャルリングに属さないセグメントにおいて前記スパン型機能をロックアウトするコマンドとを含む設定メッセージを生成することを特徴とする請求項１に記載の伝送システム。
【請求項３】
前記設定メッセージ生成手段は、前記認識手段による認識の結果前記ネットワークが前記パーシャルリングから前記フルリングに変化した場合に、前記プロテクション機能のロックアウトを全てのセグメントにおいてリリースするコマンドを含む設定メッセージを生成することを特徴とする請求項１に記載の伝送システム。
【請求項４】
前記設定メッセージ生成手段は、前記認識手段による認識の結果、前記ネットワークがパーシャルリングからこのパーシャルリングとトポロジの異なるパーシャルリングに変化した場合に、当該トポロジの変化に対応する新たな設定メッセージを生成することを特徴とする請求項１に記載の伝送システム。
【請求項５】
前記監視制御装置は、
さらに、前記通知情報をもとに前記ネットワークにおける障害の発生形態を把握する把握手段と、
この把握手段により把握された障害の発生形態をユーザに報知する報知手段と、
この報知手段により報知された障害の発生形態に応じてなされる前記ユーザのドメイン指定指示を受け付ける指示受け付け手段とを備え、
前記設定メッセージ生成手段は、この指示受け付け手段を介して指定されたドメインを対象とする前記設定メッセージを生成することを特徴とする請求項１に記載の伝送システム。
【請求項６】
前記複数のノード装置により形成されるネットワークを複数備える場合に、
前記認識手段は、それぞれのネットワークごとに個別にその形態を認識し、
前記設定メッセージ生成手段は、前記認識手段により形態の認識されたそれぞれのネットワークごとに個別に前記設定メッセージを生成し、
前記設定変更手段は、前記プロテクション機能の設定をそれぞれのネットワークごとに個別に変更することを特徴とする請求項１に記載の伝送システム。
【請求項７】
前記監視制御装置は、
さらに、前記通知情報をもとに前記複数のネットワークのそれぞれにおける障害の発生形態を把握する把握手段と、
この把握手段により把握された障害の発生形態を各ネットワークごとにユーザに報知する報知手段と、
この報知手段により報知された各ネットワークごとの障害の発生形態に応じてなされる前記ユーザのドメイン指定指示を受け付ける指示受け付け手段とを備え、
前記設定メッセージ生成手段は、この指示受け付け手段を介して指定されたドメインを対象とする前記設定メッセージを生成することを特徴とする請求項６に記載の伝送システム。
【請求項８】
さらに、前記監視制御装置は表示器を備え、
前記報知手段は、前記把握手段により把握された障害の発生形態を前記表示器に表示してユーザに報知し、
前記指示受け付け手段は、前記表示器に表示されるＧＵＩ（Ｇｒａｐｈｉｃａｌ　Ｕｓｅｒ　Ｉｎｔｅｒｆａｃｅ）シンボルを介して前記ユーザのドメイン指定指示を受け付けることを特徴とする請求項５または７に記載の伝送システム。
【請求項９】
前記監視制御装置は、前記表示器における前記ＧＵＩシンボルの表示色を障害の有無に応じて変化させることを特徴とする請求項８に記載の伝送システム。
【請求項１０】
サービストラフィックを伝送するサービスラインと、このサービスラインの予備リソースであるプロテクションラインと、前記サービスラインとプロテクションラインとが敷設されるセグメントを介して配設され前記セグメントの状態によりフルリングまたはパーシャルリングのいずれかの形態をとり、前記フルリングにおいてのみ動作可能なリング型機能と、前記パーシャルリングにおいては動作可能なセグメントを制限されるスパン型機能とを有し、障害の発生形態に応じていずれかの機能を動作させて前記サービストラフィックを前記プロテクションラインを利用して前記障害から救済するプロテクション機能を備えるネットワークを形成する複数のノード装置とを具備する伝送システムに設けられ、前記ネットワークに対してＯＡＭ（Ｏｐｅｒａｔｉｏｎｓ，　Ａｄｍｉｎｉｓｔｒａｔｉｏｎ　ａｎｄ　Ｍａｉｎｔｅｎａｎｃｅ）サービスを提供する監視制御装置であって、
前記複数のノード装置からそれぞれ通知される通知情報をもとに前記ネットワークの形態を認識する認識手段と、
この認識手段により認識される前記ネットワークの形態に応じて、前記セグメントごとに前記プロテクション機能のロックアウトまたはロックアウトのリリースを前記リング型機能およびスパン型機能ごとに設定するための設定メッセージを生成する設定メッセージ生成手段と、
この設定メッセージ生成手段で生成された設定メッセージを前記複数のノード装置にそれぞれ伝達する伝達手段とを備えることを特徴とする監視制御装置。
【請求項１１】
前記設定メッセージ生成手段は、前記認識手段による認識の結果前記ネットワークが前記フルリングから前記パーシャルリングに変化した場合に、全てのセグメントにおいて前記リング型機能をロックアウトするコマンドと、当該パーシャルリングに属さないセグメントにおいて前記スパン型機能をロックアウトするコマンドとを含む設定メッセージを生成することを特徴とする請求項１０に記載の監視制御装置。
【請求項１２】
前記設定メッセージ生成手段は、前記認識手段による認識の結果前記ネットワークが前記パーシャルリングから前記フルリングに変化した場合に、前記プロテクション機能のロックアウトを全てのセグメントにおいてリリースするコマンドを含む設定メッセージを生成することを特徴とする請求項１０に記載の監視制御装置。
【請求項１３】
前記設定メッセージ生成手段は、前記認識手段による認識の結果、前記ネットワークがパーシャルリングからこのパーシャルリングとトポロジの異なるパーシャルリングに変化した場合に、当該トポロジの変化に対応する新たな設定メッセージを生成することを特徴とする請求項１０に記載の監視制御装置。
【請求項１４】
さらに、前記通知情報をもとに前記ネットワークにおける障害の発生形態を把握する把握手段と、
この把握手段により把握された障害の発生形態をユーザに報知する報知手段と、
この報知手段により報知された障害の発生形態に応じてなされる前記ユーザのドメイン指定指示を受け付ける指示受け付け手段とを備え、
前記設定メッセージ生成手段は、この指示受け付け手段を介して指定されたドメインを対象とする前記設定メッセージを生成することを特徴とする請求項１０に記載の監視制御装置。
【請求項１５】
前記複数のノード装置により形成されるネットワークを前記伝送システムが複数備える場合に、
前記認識手段は、それぞれのネットワークごとに個別にその形態を認識し、
前記設定メッセージ生成手段は、前記認識手段により形態の認識されたそれぞれのネットワークごとに個別に前記設定メッセージを生成し、
前記設定変更手段は、前記プロテクション機能の設定をそれぞれのネットワークごとに個別に変更することを特徴とする請求項１０に記載の監視制御装置。
【請求項１６】
さらに、前記通知情報をもとに前記複数のネットワークのそれぞれにおける障害の発生形態を把握する把握手段と、
この把握手段により把握された障害の発生形態を各ネットワークごとにユーザに報知する報知手段と、
この報知手段により報知された各ネットワークごとの障害の発生形態に応じてなされる前記ユーザのドメイン指定指示を受け付ける指示受け付け手段とを備え、
前記設定メッセージ生成手段は、この指示受け付け手段を介して指定されたドメインを対象とする前記設定メッセージを生成することを特徴とする請求項１５に記載の監視制御装置。
【請求項１７】
さらに、表示器を備え、
前記報知手段は、前記把握手段により把握された障害の発生形態を前記表示器に表示してユーザに報知し、
前記指示受け付け手段は、前記表示器に表示されるＧＵＩ（Ｇｒａｐｈｉｃａｌ　Ｕｓｅｒ　Ｉｎｔｅｒｆａｃｅ）シンボルを介して前記ユーザのドメイン指定指示を受け付けることを特徴とする請求項１４または１６に記載の監視制御装置。
【請求項１８】
前記表示器における前記ＧＵＩシンボルの表示色を障害の有無に応じて変化させることを特徴とする請求項１７に記載の監視制御装置。
【請求項１９】
サービストラフィックを伝送するサービスラインと、このサービスラインの予備リソースであるプロテクションラインと、前記サービスラインとプロテクションラインとが敷設されるセグメントを介して配設され前記セグメントの状態によりフルリングまたはパーシャルリングのいずれかの形態をとるネットワークを形成する複数のノード装置とを具備し、前記ネットワークが、前記フルリングにおいてのみ動作可能なリング型機能と、前記パーシャルリングにおいては動作可能なセグメントを制限されるスパン型機能とを有し障害の発生形態に応じていずれかの機能を動作させて前記サービストラフィックを前記プロテクションラインを利用して前記障害から救済するプロテクション機能を備える伝送システムに利用される前記プロテクション機能の設定更新方法であって、
前記複数のノード装置からそれぞれ通知される通知情報をもとに前記ネットワークの形態を認識する第１ステップと、
この第１ステップで認識される前記ネットワークの形態に応じて、前記セグメントごとに前記プロテクション機能のロックアウトまたはロックアウトのリリースを前記リング型機能およびスパン型機能ごとに設定するための設定メッセージを生成する第２ステップと、
この第２ステップで生成された設定メッセージを前記複数のノード装置にそれぞれ伝達する第３ステップと、
この第３ステップで伝達された設定メッセージに応じて前記複数のノード装置のそれぞれにおける前記プロテクション機能の設定を前記リング型機能およびスパン型機能のそれぞれごとに変更する第４ステップとを具備することを特徴とするプロテクション機能の設定更新方法。
【請求項２０】
さらに、前記通知情報をもとに前記ネットワークにおける障害の発生形態を把握する第５ステップと、
この第５ステップで把握された障害の発生形態をユーザに報知する第６ステップと、
この第６ステップで報知された障害の発生形態に応じてなされる前記ユーザのドメイン指定指示を受け付ける第７ステップとを備え、
前記第２ステップは、この第７ステップで指定されたドメインを対象とする前記設定メッセージを生成するステップであることを特徴とする請求項１９に記載のプロテクション機能の設定更新方法。
【請求項２１】
前記複数のノード装置により形成されるネットワークを前記伝送システムが複数備える場合に、
前記第１ステップは、それぞれのネットワークごとに個別にその形態を認識するステップであり、
前記第２ステップは、前記第１ステップで形態の認識されたそれぞれのネットワークごとに個別に前記設定メッセージを生成するステップであり、
前記第４ステップは、前記プロテクション機能の設定をそれぞれのネットワークごとに個別に変更するステップであることを特徴とする請求項１９に記載のプロテクション機能の設定更新方法。
【請求項２２】
さらに、前記通知情報をもとに前記複数のネットワークのそれぞれにおける障害の発生形態を把握する第５ステップと、
この第５ステップで把握された障害の発生形態を各ネットワークごとにユーザに報知する第６ステップと、
この第６ステップで報知された各ネットワークごとの障害の発生形態に応じてなされる前記ユーザのドメイン指定指示を受け付ける第７ステップとを備え、
前記第２ステップは、この第７ステップで指定されたドメインを対象とする前記設定メッセージを生成するステップであることを特徴とする請求項２１に記載のプロテクション機能の設定更新方法。
【請求項２３】
前記第６ステップは、前記第５ステップで把握された障害の発生形態を前記伝送システム内に設けられる表示器に表示してユーザに報知するステップであり、
前記第７ステップは、前記表示器に表示されるＧＵＩ（Ｇｒａｐｈｉｃａｌ　Ｕｓｅｒ　Ｉｎｔｅｒｆａｃｅ）シンボルを介して前記ユーザのドメイン指定指示を受け付けるステップであることを特徴とする請求項２０または２２に記載のプロテクション機能の設定更新方法。
【発明の詳細な説明】
【０００１】
【発明の属する技術分野】
本発明は、ＳＤＨ（Ｓｙｎｃｈｒｏｎｏｕｓ　Ｄｉｇｉｔａｌ　Ｈｉｅｒａｒｃｈｙ）／ＳＯＮＥＴ（Ｓｙｎｃｈｒｏｎｏｕｓ　Ｏｐｔｉｃａｌ　Ｎｅｔｗｏｒｋ）などの規格に準拠する伝送システムと、この伝送システムに備えられる監視制御装置およびこの伝送システムが備えるプロテクション機能の設定更新方法に関する。
【０００２】
【従来の技術】
一般に情報伝送システムは、情報伝送を担うノード装置と、システムに対してＯＡＭ（Ｏｐｅｒａｔｉｏｎｓ，　Ａｄｍｉｎｉｓｔｒａｔｉｏｎ　ａｎｄ　Ｍａｉｎｔｅｎａｎｃｅ）サービスを提供する監視制御装置とを備える。この種のシステムは、ＳＤＨ／ＳＯＮＥＴアーキテクチャのもとで構成されることが多い。
【０００３】
この種のシステムではネットワークをリング状に形成し、情報伝送ラインや装置内部構成に現用系と予備系とを備える冗長化構成を採ることで、耐障害性能の向上が図られる。ライン障害などの切替要因が生じると、各ノード装置の自律分散制御により、サービストラフィックを伝送するパスの経路が予備系側に切り替えられ、サービストラフィックが障害から救済される。また、装置内障害においても障害箇所を避けてサービストラフィックを迂回させることができるようになっている。
【０００４】
この種のプロテクション機能はＡＰＳ（Ａｕｔｏｍａｔｉｃ　Ｐｒｏｔｅｃｔｉｏｎ　Ｓｗｉｔｃｈｉｎｇ）と称して知られている。ＡＰＳには大別して２つの切替え方式がある。一つは、隣接するノード装置に挟まれる区間（Ｓｅｇｍｅｎｔ：以下セグメントと称する）の現用系ラインに切替要因が生じた場合に同じセグメントの予備系ラインにトラフィックを迂回させる方式であり、これはスパン切替と称される。もう一つは、同じセグメントの現用系および予備系ラインに共に切替要因が生じた場合に、この区間以外の全てのセグメントの予備系ラインにトラフィックを迂回させる方式であり、これはリング切替と称される。リング切替には、その高機能バージョンとして最短経路を設定する方式があり、その方式では残存する予備系ラインの一部が使用される。
【０００５】
リングシステムは、敷設に際してセグメントごとに開設されることが多い。リングシステムが完全にリング状となった形態をフルリング、一部区間だけ部分的に接続された形態をパーシャルリングと称する。特に、フルリングにおいて障害が発生した状態もパーシャルリングとして取扱われる。
【０００６】
パーシャルリングからフルリングへ、逆にフルリングからパーシャルリングへとネットワークの形態が変化すると、それに応じてＡＰＳの設定を更新する必要がある。なぜなら、パーシャルリングにおいては一部セグメントにトラフィックを流せないので、リング切替を実施できないためである。もしもパーシャルリング構成においてリング切替え動作可能の設定がなされていると、エラーを生じてシステムの運用に支障を来たす。
【０００７】
ところで、従来ではネットワーク形態の変化に応じて、ＡＰＳの設定が手動で更新される。ＡＰＳの設定は、ネットワーク内の各ノード装置にコマンドを投入することにより更新される。従来では適切なコマンドの選択、投入箇所の指定、および投入処理などの一連の手順にすべて人手を介さねばならず、そのための手間が非常に煩雑であった。また操作ミスの虞もあり、さらには処理が完了するまでに長い時間を要するという不具合も有った。
【０００８】
【発明が解決しようとする課題】
以上のように従来の伝送システムでは、ネットワーク形態の変化に応じたプロテクション機能の再設定処理に、マニュアルでの煩雑な手順が必要である。よってオペレータの負担が大きく、また操作ミスの虞や処理の完了までに多くの時間を要するなどといった不具合が有る。
【０００９】
本発明は上記事情によりなされたもので、その目的は、ネットワーク形態の変化に伴うプロテクション機能の再設定処理にかかる手順を簡略化し、これにより運用面での便宜の向上を図った伝送システムとその監視制御装置およびプロテクション機能の設定更新方法を提供することにある。
【００１０】
【課題を解決するための手段】
上記目的を達成するために本発明は、サービストラフィックを伝送するサービスラインと、このサービスラインの予備リソースであるプロテクションラインとを具備する伝送システムにおいて、前記サービスラインとプロテクションラインとが敷設されるセグメントを介して配設され、前記セグメントの状態によりフルリングまたはパーシャルリングのいずれかの形態をとるネットワークを形成する複数のノード装置と、前記ネットワークに対してＯＡＭサービスを提供する監視制御装置とを具備し、
前記ネットワークは、前記フルリングにおいてのみ動作可能なリング型機能と、前記パーシャルリングにおいては動作可能なセグメントを制限されるスパン型機能とを有し、障害の発生形態に応じていずれかの機能を動作させて前記サービストラフィックを前記プロテクションラインを利用して前記障害から救済するプロテクション機能を備え、
前記監視制御装置は、前記複数のノード装置からそれぞれ通知される通知情報をもとに前記ネットワークの形態を認識する認識手段と、この認識手段により認識される前記ネットワークの形態に応じて、前記セグメントごとに前記プロテクション機能のロックアウトまたはロックアウトのリリースを前記リング型機能およびスパン型機能ごとに設定するための設定メッセージを生成する設定メッセージ生成手段と、この設定メッセージ生成手段で生成された設定メッセージを前記複数のノード装置にそれぞれ伝達する伝達手段とを備え、
前記複数のノード装置の各々は、前記伝達手段により伝達された設定メッセージに応じて、自装置における前記プロテクション機能の設定を前記リング型機能およびスパン型機能のそれぞれごとに変更する設定変更手段を備えることを特徴とする。
【００１１】
このような手段を講じたことにより、ネットワークの形態が認識手段によりフルリングまたはパーシャルリングとして認識される。その認識結果に応じて、ＡＰＳなどのプロテクション機能の設定を行なうための設定メッセージが、設定メッセージ生成手段により自動的に生成される。このメッセージは伝達手段により各ノード装置に伝達され、設定変更手段により各ノード装置におけるプロテクション機能の設定が更新される。
【００１２】
すなわち、ネットワークの形態の変化に応じたＡＰＳの設定が、マシンないしはシステム側の主導による処理により自動的に更新される。これにより、オペレータにとってはプロテクション機能の再設定処理にかかる手順が大幅に簡略化され、負担が軽くなる。また操作ミスを防止でき、さらには処理が完了するまでの時間を短縮することも可能になる。
【００１３】
また本発明では、前記複数のノード装置により形成されるネットワークを複数備える場合に、前記認識手段は、それぞれのネットワークごとに個別にその形態を認識し、前記設定メッセージ生成手段は、前記認識手段により形態の認識されたそれぞれのネットワークごとに個別に前記設定メッセージを生成し、前記設定変更手段は、前記プロテクション機能の設定をそれぞれのネットワークごとに個別に変更することを特徴とする。
【００１４】
このようにすることで、伝送システムが例えば波長多重される複数のネットワークから構成される場合にも、個々のネットワークを管理の対象とすることが可能になる。
【００１５】
また本発明に関わる監視制御装置は、さらに、前記通知情報をもとに前記ネットワークにおける障害の発生形態を把握する把握手段と、この把握手段により把握された障害の発生形態をユーザに報知する報知手段と、この報知手段により報知された障害の発生形態に応じてなされる前記ユーザのドメイン指定指示を受け付ける指示受け付け手段とを備え、前記設定メッセージ生成手段は、この指示受け付け手段を介して指定されたドメインを対象とする前記設定メッセージを生成することを特徴とする。
【００１６】
このようにすることで、ユーザに対して障害の発生形態が例えば表示器への表示などにより報知される。そして、その結果に基づいてなされるユーザのドメイン指定操作に応じた設定メッセージが生成される。従って、パーシャルリング設定処理にユーザの意志を反映させることができ、更なる便宜の向上を図った伝送システムを提供することが可能になる。
【００１７】
【発明の実施の形態】
以下、図面を参照して本発明の実施の形態を詳細に説明する。この実施形態では、世界標準としてのＳＤＨ（Ｓｙｎｃｈｒｏｎｏｕｓ　Ｄｉｇｉｔａｌ　Ｈｉｅｒａｒｃｈｙ　）に即したシステムを想定する。
【００１８】
図１は、本発明の実施の形態に係わる伝送システムの一構成例を示すシステム図である。このシステムは、例えば海洋を隔てて設置される複数の局舎（Ｓｔａｔｉｏｎ）ＳＴ−１〜ＳＴ−ｍを備える。各局舎ＳＴ−１〜ＳＴ−ｍは、それぞれ複数のノード装置（ＮＯＤＥ：以下ノードと称する）１−１〜１−ｎを備える。隣接するノードに挟まれる区間は、セグメントと称される。
【００１９】
ノード１−１〜１−ｎは局舎間を跨る高速回線ＯＦによりリング状に接続され、複数のノード１−１間、ノード１−２間，…，ノード１−ｎ間でリングネットワークが形成される。すなわちｎ個のリングネットワークが存在し、各リングネットワークはそれぞれｍ台のノードを有する。各リングネットワークは、それぞれＡＰＳ（Ａｕｔｏｍａｔｉｃ　Ｐｒｏｔｅｃｔｉｏｎ　Ｓｗｉｔｃｈｉｎｇ）と称されるプロテクション機能を備える。
【００２０】
ノード１−１間，１−２間，…，および１−ｎ間を結ぶ高速回線ＯＦは、それぞれサービスラインとプロテクションライン（図２に表示）とを備える。各高速回線ＯＦは各リングネットワークに割り当てられた波長の光信号を伝送する。すなわち伝送波長はリングネットワークごとに互いに異なり、これらの波長が多重されて波長多重回線ＦＬが形成される。高速回線ＯＦのインタフェースには、ＳＤＨに準拠する例えばＳＴＭ−６４（Ｓｙｎｃｈｒｏｎｏｕｓ　Ｔｒａｎｓｆｅｒ　Ｍｏｄｕｌｅ−ｌｅｖｅｌ　６４：１０Ｇｂｐｓに相当）などが採用される。
【００２１】
局舎ＳＴ−１〜ＳＴ−ｍにおけるノード１−１〜１−ｎは、各局舎内においてそれぞれ局舎内監視装置（ＳＳＥ）２に接続される。ＳＳＥ２は、ＬＡＮ（Ｌｏｃａｌ　ａｒｅａ　Ｎｅｔｗｏｒｋ）を介して監視制御装置（ＮＭＥ）３に接続される。監視制御装置３は網内全域に渡りＯＡＭサービスを提供する。ＬＡＮにはルータ（Ｒｏｕｔｅｒ）４が接続され、ルータ４を介して各局舎の監視制御装置３同士を結ぶ管理ネットワークＭＬが形成される。管理ネットワークＭＬは、論理的には波長多重回線ＦＬを介して伝送されるＳＤＨフレームのＳＯＨ（Ｓｅｃｔｉｏｎ　Ｏｖｅｒ　Ｈｅａｄ　）におけるＤＣＣ（Ｄａｔａ　Ｃｏｍｍｕｎｉｃａｔｉｏｎ　Ｃｈａｎｎｅｌ）などとして実現される。
【００２２】
図２は、図１におけるノード１−１〜１−ｎの構成を示す図である。ここではノード１−１を代表させるが、他のノード１−２〜１−ｎも同様の構成である。図２において、サービスラインＳＬは、Ｅａｓｔ側において送受信モジュール１０に、Ｗｅｓｔ側において送受信モジュール１２に接続される。プロテクションラインＰＬは、Ｅａｓｔ側において送受信モジュール１１に、Ｗｅｓｔ側において送受信モジュール１３に接続される。すなわち、送受信モジュール１０，１２は現用系に属し、送受信モジュール１１，１３は予備系に属する。
【００２３】
なお、Ｅａｓｔ，Ｗｅｓｔとは、信号の授受に係わる２系統の入方路、出方路を区別するための呼称である。本実施形態では、各ノード１−１〜１−ｎにおいて添字ｍが大きくなるほうの局舎への向きをＷｅｓｔとし、添字ｍが小さくなるほうの局舎への向きをＥａｓｔとする。例えば局舎ＳＴ−１のノード１−１にとっては、局舎ＳＴ−２に向かう向きがＷｅｓｔであり、局舎ＳＴ−ｍに向かう向きがＥａｓｔである。
【００２４】
送受信モジュール１０〜１３を介して装置内部に導入されるＳＴＭ−６４信号は、タイムスロット交換部（ＴＳＡ：Ｔｉｍｅ　Ｓｌｏｔ　Ａｓｓｉｇｎｍｅｎｔ）２０１と、タイムスロット交換部２０２とに与えられる。タイムスロット交換部２０１，２０２は、ＳＴＭ−６４信号に時分割多重されたタイムスロットのうち所定のタイムスロットをドロップする。このドロップされたスロットは、トリビュタリインタフェース（ＬＳ　Ｉ／Ｆ）シェルフ３１〜３ｋを介して、低次群信号としてトリビュタリ伝送路ＬＬから送出される。
【００２５】
これに対し、トリビュタリ伝送路ＬＬからＬＳ　Ｉ／Ｆシェルフ３１〜３ｋを介して装置内部に導入される低次群信号は、タイムスロット交換部２０１，２０２に与えられ、ＳＴＭ−６４フレームの所定のタイムスロットにアッドされて、高速回線ＯＦを介して他のノードに向け送出される。
【００２６】
タイムスロット交換部２０１と、タイムスロット交換部２０２とは、対を成して二重化される。タイムスロット交換部２０１は、システムの定常時における現用系として動作される。このタイムスロット交換部２０１に障害が生じた場合には、タイムスロット交換部２０２がタイムスロット交換部２０１の代わりに動作される。このようにして、装置内冗長が実現される。
【００２７】
なお、システム正常時には、タイムスロット交換部２０２はパートタイムトラフィック（Ｐ／Ｔ）の伝送に係わるように動作される。パートタイムトラフィックとは、サービスラインＳＬを流れるサービストラフィックとは異なる情報を載せた信号である。システム正常時には、無障害のためプロテクションラインＰＬが空きとなる。パートタイムトラフィックはこの帯域を利用して伝送されるトラフィックであり、サービストラフィックよりも優先度の低いトラフィックとして取り扱われる。
【００２８】
このほか、図３のノード１−１は、制御部５と、各種の制御プログラムなどを記憶する記憶部６と、ＳＳＥ２とのインタフェースをとる管理ネットワークインタフェース（Ｉ／Ｆ）７とを備える。
【００２９】
制御部５は、ＡＰＳ制御部５ａと、設定変更処理部５ｂとを備える。ＡＰＳ制御部５ａは、ＡＰＳの動作に係わる種々の制御を実行する。ＡＰＳは、同じリングネットワークに属するノード間の自律的な協調動作によりサービストラフィックを障害から救済する機能である。すなわちいずれかのノードにおいて障害の発生が検知されると、Ｋバイトチャネルを介して他のノードと情報伝達がなされ、ノードの内部スイッチングによりサービストラフィックはプロテクションラインＰＬにレストレーションされる。
【００３０】
ＡＰＳには、スパン切替およびリング切替の２つの動作形態がある。スパン切替は或るセグメントにおいてサービスラインＳＬに障害を生じた場合の形態であり、同一区間のプロテクションラインＰＬが利用される。リング切替は同じセグメントのサービスラインＳＬとプロテクションラインＰＬとに障害が発生した場合の形態であり、障害の無い全てのプロテクションラインＰＬが利用される。このような動作形態の違いから、リング切替はフルリングにおいてのみ動作可能であり、スパン切替はパーシャルリングにおいては動作可能なセグメントが制限される。ＡＰＳ制御部５ａは、障害の発生形態に応じて、また障害発生の際にネットワークがフルリングであるかパーシャルリングであるか、あるいはシステム内の設定に応じていずれかの形態の切り替え方式を実行する。
【００３１】
設定変更処理部５ｂは、いずれかの監視制御装置３から、ＡＰＳの設定を更新するための設定メッセージが与えられた場合に、自ノードにおけるＡＰＳの設定を変更する。特に設定変更処理部５ｂは、ＡＰＳの設定をリング切替およびスパン切替のそれぞれごとに変更する。本実施形態においては複数のリングネットワークがシステム内に存在するため、設定変更処理部５ｂは、ＡＰＳの設定を各リングネットワークごとに個別に変更する。
【００３２】
記憶部６は、所定の記憶領域にＡＰＳ設定テーブル６ａを記憶する。
図３は、ＡＰＳ設定テーブル６ａを示す模式図である。このテーブルは、各ノード（ここでは符号Ａ〜Ｇで区別される）ごとに、スパン切替およびリング切替の動作可能／不可能を、ＷｅｓｔおよびＥａｓｔの各方向ごとに設定するためのテーブルである。ＡＰＳ設定テーブル６ａは、システム内に設定されるパスの設定状態情報であるリングマップ、あるいはファブリックなどのデータと共に、ＡＰＳの運用に際して用いられる。
【００３３】
ＡＰＳが動作不可能である状態、すなわち動作を許可されない状態をロックアウトと称する。図３（ａ）のフルリング時の設定においては、全てのリソースにビット０が記述されているので、ロックアウトされたリソースは無い。この状態を、ロックアウトがリリースされた状態と称する。一方、図３（ｂ）のパーシャルリング時の設定においては一部リソースにロックアウトを意味するビット１が記述されており、一部区間においてＡＰＳの動作が禁止される。
【００３４】
図４は、図１に示される監視制御装置３の構成を示すブロック図である。監視制御装置３は、ヒューマンマシンインタフェースとしての入出力部６１と、表示部６２と、ＬＡＮを介してＳＳＥ２およびルータ４との接続インタフェースをとるインタフェース部（ＬＡＮ　Ｉ／Ｆ）６３と、各種動作プログラムなどを記憶する記憶部６４と、主制御部６５とを備える。
【００３５】
主制御部６５は、認識処理部６５ａと、設定メッセージ生成処理部６５ｂと、伝達処理部６５ｃと、把握処理部６５ｄと、報知処理部６５ｅと、指示受け付け処理部６５ｆとを備える。
【００３６】
認識処理部６５ａは、各ノード１−１〜１−ｎから監視制御装置３に通知される通知情報（Ｎｏｔｉｆｉｃａｔｉｏｎ）をもとに、各リングネットワークの形態をリアルタイムに認識する。すなわち認識処理部６５ａは、フルリングであるか、パーシャルリングであるかを、各リングネットワークごとに個別に認識し、管理する。また認識処理部６５ａは、いずれかまたは複数のリングネットワークの形態が変化したことを認識した場合にはその旨を設定メッセージ生成処理部６５ｂなどに通知し、相応の処置をとらせる。
【００３７】
設定メッセージ生成処理部６５ｂは、認識処理部６５ａにより認識されるネットワークの形態に応じて、セグメントごとにＡＰＳのロックアウトまたはロックアウトのリリースをリング切替およびスパン切替ごとに設定するための設定メッセージを生成する。本実施形態においては複数のリングネットワークがシステム内に存在するため、設定メッセージ生成処理部６５ｂは各リングネットワークごとに個別に設定メッセージを生成する。
【００３８】
また設定メッセージ生成処理部６５ｂは、指示受け付け処理部６５ｆを介して指定されたドメインを対象とする設定メッセージを生成する。ドメインとは、例えば任意のリングネットワーク、あるいはそのリングネットワークにおける任意のセグメントなどというように、システム内に存在する区別可能なリソースを意味する。すなわち設定メッセージ生成処理部６５ｂは、ユーザの指示が有った場合には、その指示に対応するリソースに対してＡＰＳの設定を行なうための設定メッセージを生成する。
【００３９】
設定メッセージ生成処理部６５ｂは、認識処理部６５ａによる認識の結果ネットワークがフルリングからパーシャルリングに変化した場合に、全てのセグメントにおいてリング切替をロックアウトするコマンドと、当該パーシャルリングに属さないセグメントにおいてスパン切替をロックアウトするコマンドとを含む設定メッセージを生成する。
【００４０】
ＳＤＨにおいては、リング切替をロックアウトするコマンドは、‘Ｌｏｃｋｏｕｔ　ｏｆＰｒｏｔｅｃｔｉｏｎ　Ｒｉｎｇ’と称して知られている。またスパン切替をロックアウトするコマンドは、‘Ｌｏｃｋｏｕｔ　ｏｆ　Ｐｒｏｔｅｃｔｉｏｎ　Ｓｐａｎ’と称して知られている。いずれのコマンドも、ＳＤＨフレームフォーマットのＳＯＨ（Ｓｅｃｔｉｏｎ　Ｏｖｅｒｈｅａｄ）に定義されるＫ１バイトの上位４ビットに記述される。
【００４１】
また設定メッセージ生成処理部６５ｂは、認識処理部６５ａによる認識の結果ネットワークがパーシャルリングからフルリングに変化した場合に、ＡＰＳのロックアウトを全てのセグメントにおいてリリースするコマンドを含む設定メッセージを生成する。
【００４２】
さらに設定メッセージ生成処理部６５ｂは、認識処理部６５ａによる認識の結果、ネットワークがパーシャルリングからこのパーシャルリングとトポロジの異なるパーシャルリングに変化した場合に、当該トポロジの変化に対応する新たな設定メッセージを生成する。
【００４３】
要するに設定メッセージ生成処理部６５ｂは、ネットワークの形態が変化した場合に、またユーザの指示が与えられればそれに応じて、ノード１−１〜１−ｎにおけるＡＰＳ設定テーブル６ａを更新するためのメッセージを生成する。
【００４４】
伝達処理部６５ｃは、設定メッセージ生成処理部６５ｂで生成された設定メッセージを、管理ネットワークＭＬを介して各ノード１−１〜１−ｎにそれぞれ伝達する。なお全てのノード１−１〜１−ｎに設定メッセージを通知する必要は無く、監視制御装置３がオペレーションの対象とするノードに対してのみ、設定メッセージを伝達しても良い。
【００４５】
把握処理部６５ｄは、各ノード１−１〜１−ｎから監視制御装置３に通知される通知情報をもとにネットワークにおける障害の発生形態を把握する。報知処理部６５ｅは、把握処理部６５ｄにより把握された障害の発生形態を表示部６２にグラフィクス表示することによりユーザに報知する。その際、表示部６２におけるＧＵＩ（Ｇｒａｐｈｉｃａｌ　Ｕｓｅｒ　Ｉｎｔｅｒｆａｃｅ）シンボルの表示色を、障害の有無に応じて変化させるようにする。例えば障害の有るサービスラインの表示色を赤、障害の無いサービスラインの表示色を緑などとする。
【００４６】
指示受け付け処理部６５ｆは、ユーザのドメイン指定指示を、例えば入出力部６１のマウス（図示せず）などを用いて、表示部６２に表示されるＧＵＩシンボルに対するクリック操作などのかたちで受け付ける。ユーザのドメイン指定指示は、報知処理部６５ｅにより報知された障害の発生形態に応じて、ＡＰＳを設定すべきドメインを選択指定するために実施される。
【００４７】
なお、ノード１−１〜１−ｎの制御部５におけるＡＰＳ制御部５ａと設定変更処理部５ｂ、および、監視制御装置３の主制御部６５における認識処理部６５ａと、設定メッセージ生成処理部６５ｂと、伝達処理部６５ｃと、把握処理部６５ｄと、報知処理部６５ｅと、指示受け付け処理部６５ｆとは、いずれも例えばＣＰＵ（Ｃｅｎｔｒａｌ　Ｐｒｏｃｅｓｓｉｎｇ　Ｕｎｉｔ）のソフトウェア処理を中核として他の処理部やはハードウェアなどとの協調動作により実現される機能オブジェクトである。
【００４８】
次に、上記構成における作用を説明する。伝送システムは各セグメントごとに構築され、最終的にはフルリングの状態で運用される。セグメントが構築途中であり、フルリングネットワークになる前の段階でシステムを運用する場合には、パーシャルリングネットワーク構成が用いられる。パーシャルリングは、ネットワークの運用中にセグメントやノード装置において障害が発生したときにも適用される。
【００４９】
図５は、上記構成における処理手順を示すフローチャートである。図５において、被監視制御対象のリングネットワークにおいてライン障害が発生すると（ステップＳ１）、まず、この障害を検知したノードからライン障害を示す通知情報が監視制御装置３に通知される（ステップＳ２）。
【００５０】
通知情報を受信した監視制御装置３は、表示部６２の表示内容に通知情報の内容を反映させ、それとともに表示部６２に図６に示すような警告（ＣＡＵＴＩＯＮ）画面を表示する（ステップＳ３）。
【００５１】
図６は、ステップＳ３において表示部６２に表示されるＣＡＵＴＩＯＮ画面の一例を示す図である。この画面は、被監視制御対象の全てのリングネットワークにおけるライン障害、およびノード障害についての知見を得るために、ノードに対して情報の読み出し要求を発出するか否かを、ユーザすなわち監視制御装置３のオペレータに問いかけるための画面である。
【００５２】
図５のステップＳ３において、ＣＡＵＴＩＯＮ画面の‘Ｃａｎｃｅｌ’ボタン（図６の（ｂ））がクリックされるとＣＡＵＴＩＯＮ画面は閉じる（ステップＳ４）。これに対しＣＡＵＴＩＯＮ画面の‘ＯＫ’ボタン（図６の（ａ））がクリックされると、ＣＡＵＴＩＯＮ画面が閉じ、そして監視制御装置３から全てのリングネットワークのノード１−１〜１−ｎに対して、ライン状態の読み出し要求が発出される（ステップＳ５）。
【００５３】
次のステップでは、図７に示されるＮｅｔｗｏｒｋ　Ａｌａｒｍ　Ｓｕｍｍａｒｙ　Ｄｉｓｐｌａｙと、図８に示されるＰａｒｔｉａｌ　Ｎｅｔｗｏｒｋ　Ｃｏｎｆｉｇｕｒａｔｉｏｎ　Ｓｅｔｔｉｎｇ画面が表示部６２に表示される（ステップＳ６）。
【００５４】
図７の画面は、複数のリングネットワークにおける障害の発生状態をリングネットワークごとに示す画面である。この画面では、画面左のタブ（Ｔａｂ）により各リングネットワークが区別される。便宜上、この画面においては個々のノードにＡ〜Ｇなる符号を付して区別する。すなわち一つのリングネットワークに７台のノードが設けられ、各ノードＡ〜Ｇはシンボルとして表示される。各リングネットワークには＃１〜＃３２の符号が付される。また各ノードを結ぶサービスラインＳＬおよびプロテクションラインＰＬは、それぞれ実線（ＳＲＶ）および点線（ＰＲＴ）でシンボル表示される。
【００５５】
さて、図５のステップＳ５において発出された要求に応じて収集されたライン障害情報またはノード障害情報は、図７のＮｅｔｗｏｒｋ　Ａｌａｒｍ　Ｓｕｍｍａｒｙ　Ｄｉｓｐｌａｙの表示内容に反映される。図７においてはノードＡ，Ｂ間のセグメント、およびノードＢ，Ｃ間のセグメントにライン障害が、またノードＢにノード障害がそれぞれ生じていることが示される。障害箇所にはそれぞれ×マーク（図７の（ａ）、（ｂ）、（ｃ））が表示される。またこれらのリソースは、障害の無い他のリソースと異なる色で表示される。なお図７の例では、障害を有するリングネットワーク＃１タブに＃を付し、障害の発生しているリングネットワークを障害の無いリングネットワークと区別できるようになっている。
【００５６】
さて、図７の画面によりオペレータは、ライン、またはノードの障害状態を確認することができる。次に、図８のＰａｒｔｉａｌ　Ｎｅｔｗｏｒｋ　Ｃｏｎｆｉｇｕｒａｔｉｏｎ　Ｓｅｔｔｉｎｇ画面につき説明する。
【００５７】
図８の画面は、リングネットワークを指定し、指定したリングネットワークにつきパーシャルリングの設定をオペレータから与えるための画面である。この画面には、＃０１〜＃３２のリングネットワークを任意に選択するためのウインドウ（図８（ａ））と、リングネットワークの構成を示す模式図（図８（ｃ））と、Ｒｅａｄボタン（図８（ｂ））と、Ｓｅｔボタン（図８（ｄ））と、Ｑｕｉｔボタン（図８（ｇ））と、Ｃｏｎｓｏｌｅウインドウ（図８（ｅ））とが表示される。ノードＡ〜Ｇおよび各セグメントａ〜ｆに対応するシンボルはいずれもクリッカブルボタンであり、マウスのクリック操作に反応するオブジェクトである。
【００５８】
次に、図８の画面を用いたパーシャルリングネットワーク構成の設定手順を説明する。
図９および図１０は、図５の処理手順の続きを示すフローチャートである。図９においてオペレータは、図８のウインドウ（ａ）を用いてパーシャルリングネットワーク構成を設定するリングネットワークをクリックし、選択する（ステップＳ８）。入出力部６１のキーボード上のＣｔｒｌキーを使用することにより、複数のリングネットワークを選択指定することができる。
【００５９】
次に図８の画面上の‘Ｒｅａｄ’ボタン（ｂ）がクリックされると、ステップＳ８で選択されたリングネットワークの現在の設定状態を読み出す要求が、各ノード１−１〜１−ｎに発出される（ステップＳ９）。全てのノードから設定状態情報が収集されると、処理手順はステップＳ１０に移る。
【００６０】
収集した設定状態情報がリングネットワークごとに異なっていると（ステップＳ１０のＮｏ）、その旨を知らせるＣＡＵＴＩＯＮ画面（図示せず）が表示される（ステップＳ１１）。このＣＡＵＴＩＯＮ画面上の‘ＯＫ’ボタンがクリックされるとＣＡＵＴＩＯＮ画面が閉じ、処理手順はステップＳ８に戻る。一方、ステップＳ１０において全てのリングネットワークの設定状態が同じであると、ＣＡＵＴＩＯＮ画面は表示されず、処理手順は次のステップに移る。次のステップでは、収集された設定状態情報の内容が、図８（ｃ）に示されるように図８の画面の表示に反映される（ステップＳ１２）。
【００６１】
図８（ｃ）上に設定状態が表示されたら、図８のウインドウを用いてパーシャルリングネットワーク構成が設定される。この手順では、障害が発生しているライン、ノードを示すクリッカブルボタン（図８の（ｃ）−１，（ｃ）−７，（ｃ）−８）をクリックする。そうすると、これらのシンボルに（×）マークが付され、パーシャルリング構成を設定する旨が示される。この手順において複数のリングネットワークが選択されている場合には、選択されているリングネットワークの全てにこの設定が反映される。
【００６２】
さて、パーシャルリングネットワーク構成の設定が終了すると、オペレータは‘Ｓｅｔ’ボタン（図８の（ｄ））をクリックする（ステップＳ１３）。そうすると、図８で行なった設定を本当に実施するかどうかを確かめるためのＣＡＵＴＩＯＮ画面（図示せず）が表示される（ステップＳ１４）。このＣＡＵＴＩＯＮ画面で‘Ｃａｎｃｅｌ’ボタンがクリックされると、再び図８のウインドウが表示される。ＣＡＵＴＩＯＮ画面の‘ＯＫ’ボタンがクリックされると、図８のウインドウにて設定された内容を反映する設定メッセージが設定メッセージ生成処理部６５ｂにより生成される（ステップＳ１５）。
【００６３】
ここでは、図３（ｂ）のＡＰＳ設定テーブル６ａに対応する設定メッセージが生成される。すなわちパーシャルリングにおいては全てのセグメントにおいてリング切替を禁止するため、図３（ｂ）に示されるように全てのリソースに対しリング切替がロックアウトされる。また図８の状態ではセグメントｆおよびｇにおいてはスパン切替を禁止するため、対応するリソースに対しスパン切替がロックアウトされる（矢印↑で示す）。
【００６４】
さて、ステップＳ１５において設定メッセージが生成されると、このメッセージは、図８（ａ）において選択されたリングネットワークに属する各ノードに対して発出される（ステップＳ１６）。
【００６５】
メッセージはリングネットワークごとに発出されるが、まず１つのリングネットワークについて説明する。図８（ｃ）における各ノード（図８（ｃ）−２，（ｃ）−３，（ｃ）−４，（ｃ）−５，（ｃ）−６，（ｃ）−０）に対して設定メッセージが時計回りに発出される。
【００６６】
その後、監視制御装置３は、設定メッセージを発出した全ノードからの応答（ＳｅｔＯＫまたはＳｅｔＮＧ）を受け取り、この応答を図８（ｅ）のコンソール（Ｃｏｎｓｏｌｅ）に表示する（ステップＳ１８）設定メッセージの送信とこれに対する応答が全てのノードにつき完了すると、次のリングネットワークに対して同様の手順で設定メッセージの送出がなされる。
【００６７】
図８（ａ）で選択した全てのリングネットワークに対して設定メッセージの送出が終了し、Ｃｏｎｓｏｌｅ（図８（ｅ））に全ノードの‘ＳｅｔＯＫ’が表示されると（図１０のステップＳ１７）、図８の画面上のフッター部（図８（ｆ））に‘ＳｅｔＯＫ’と表示され、設定したパーシャルリングネットワーク構成が図８（ｃ）に再表示される（ステップＳ１８）。
【００６８】
一方、設定メッセージの送出ののち‘ＳｅｔＮＧ’がＣｏｎｓｏｌｅに表示されたとする。これは、対応するノードにおいてパーシャルリング設定が正常に終了しなかったことを意味する。このメッセージを表示するノードがたとえ１台であったとしても、図８のフッター部（図８（ｆ））には‘ＳｅｔＮＧ’が表示され（ステップＳ１９）、パーシャルリング設定が正常に設定が終了しなかった旨が示される。以上の手順を経て図８の‘Ｑｕｉｔ’ボタン（図８（ｇ））がクリックされると、パーシャルリングネットワーク設定画面が閉じられる。
【００６９】
次に、障害に伴いパーシャルリングネットワーク設定が適用されている状態からラインまたはノード障害の一部が復旧した場合の、パーシャルリングネットワークの再設定手順につき説明する。このようなケースは、同じパーシャルリングではあるが、トポロジが変化した場合に相当する。
【００７０】
パーシャルリング設定の有効時において障害が復旧すると、その旨を検知したノードから障害復旧を示す通知情報が監視制御装置３に通知される。そうすると、処理手順は図５のステップＳ３に移り、図２のＣＡＵＴＩＯＮ画面が表示される。
【００７１】
ＣＡＵＴＩＯＮ画面の‘ＯＫ’ボタンがクリックされるとＣＡＵＴＩＯＮ画面は閉じ、全リングネットワークのノードに対し伝送路状態の読み出し要求が発出される（ステップＳ５）。これとともに、Ｎｅｔｗｏｒｋ　Ａｌａｒｍ　Ｓｕｍｍａｒｙ　Ｄｉｓｐｌａｙ（図７）とＰａｒｔｉａｌ　Ｎｅｔｗｏｒｋ　Ｃｏｎｆｉｇｕｒａｔｉｏｎ　Ｓｅｔｔｉｎｇ画面（図８）が表示される。
【００７２】
発出要求により収集されたラインまたはノードの状態は、Ｎｅｔｗｏｒｋ　Ａｌａｒｍ　Ｓｕｍｍａｒｙ　Ｄｉｓｐｌａｙ上に表示される。障害が復旧していた場合、復旧した個所の×マーク（図７（ａ）、（ｂ）、（ｃ））は消える。
【００７３】
また、該当リングネットワーク上の全てのライン障害とノード障害が復旧した場合、Ｎｅｔｗｏｒｋ　Ａｌａｒｍ　Ｓｕｍｍａｒｙ　Ｄｉｓｐｌａｙのタブに表示されていた＃マーク（図７（ｄ））は消える。
【００７４】
このような表示によりオペレータは、ラインまたはノードの障害が復旧したことを確認することができる。次に、オペレータはパーシャルリングネットワークの再設定を行う。
【００７５】
まず、Ｐａｒｔｉａｌ　Ｎｅｔｗｏｒｋ　Ｃｏｎｆｉｇｕｒａｔｉｏｎ　Ｓｅｔｔｉｎｇ画面（図８）の（ａ）からパーシャルリングネットワークを再設定するリングネットワークを選択する（ステップＳ８）。次に画面上の‘Ｒｅａｄ’ボタン（図８（ｂ））をマウスでクリックし、選択したリングネットワークの現在の設定状態を読み出す要求が、各ノード１−１〜１−ｎに発出される（ステップＳ９）。
【００７６】
収集した設定状態情報がリングネットワークごとに異なっていると（ステップＳ１０のＮｏ）、その旨を知らせるＣＡＵＴＩＯＮ画面（図示せず）が表示される（ステップＳ１１）。このＣＡＵＴＩＯＮ画面上の‘ＯＫ’ボタンがクリックされるとＣＡＵＴＩＯＮ画面が閉じ、処理手順はステップＳ８に戻る。一方、ステップＳ１０において全てのリングネットワークの設定状態が同じであると、ＣＡＵＴＩＯＮ画面は表示されず、処理手順は次のステップに移る。次のステップでは、収集された設定状態情報の内容が、図８（ｃ）に示されるように図８の画面の表示に反映される（ステップＳ１２）。
【００７７】
図８（ｃ）上に設定状態が表示されたら、図８のウインドウを用いてパーシャルリングネットワーク構成が再設定される。この手順では、障害の復旧したライン、ノードを示すクリッカブルボタン（図８の（ｃ）−１，（ｃ）−７，（ｃ）−８）をクリックし、マーク（×）を消す。ここで、複数のリングネットワークが選択されている場合には、選択しているリングネットワークのすべてにこの設定が反映される。パーシャルリングネットワーク構成の再設定が終了すると、オペレータは‘Ｓｅｔ’ボタン（図８の（ｄ））をクリックする（ステップＳ１３）。
【００７８】
そうすると、図８で行なった設定を本当に実施するかどうかを確かめるためのＣＡＵＴＩＯＮ画面（図示せず）が表示される（ステップＳ１４）。このＣＡＵＴＩＯＮ画面の‘ＯＫ’ボタンがクリックされると、図８のウインドウにて再設定された内容を反映する設定メッセージが設定メッセージ生成処理部６５ｂにより新たに生成される（ステップＳ１５）。
【００７９】
この新たに生成された設定メッセージは、図８（ａ）において選択されたリングネットワークに属する各ノードに対して発出される（ステップＳ１６）。そうして、各ノードにおいてパーシャルリングの再設定が正常に終了した旨がＣｏｎｓｏｌｅ（図８（ｅ））に表示されると、再設定されたパーシャルリングネットワーク構成が図８（ｃ）に再表示され、画面上のフッター部（図８（ｆ））に‘ＳｅｔＯＫ’と表示される。１台でもＮＧ応答があった場合は、画面上のフッター部（図８（ｆ））に‘ＳｅｔＮＧ’と表示される。
【００８０】
以上説明したように本実施形態では、リングネットワークの形態が変化するとその旨を認識処理部６５ａにより認識し、それを受けて設定メッセージ生成処理部６５ｂにより、ネットワーク形態の変化に対応してＡＰＳを再設定するための設定メッセージを生成する。この設定メッセージを伝達処理部６５ｃにより各ノード１−１〜１−ｎに伝達し、各ノード１−１〜１−ｎの記憶部６に記憶されるＡＰＳ設定テーブル６ａを更新することによりＡＰＳの設定を自動的に更新するようにしている。
【００８１】
このようにしたので、ネットワークの形態の変化に応じたＡＰＳの設定が、マシンないしはシステム側の主導による処理により自動的に更新される。これにより、オペレータにとってはプロテクション機能の再設定処理にかかる手順が大幅に簡略化され、負担が軽くなる。また操作ミスを防止でき、さらには処理が完了するまでの時間を短縮することも可能になる。
【００８２】
これらのことから、ネットワーク形態の変化に伴うプロテクション機能の再設定処理にかかる手順を簡略化でき、これにより運用面での便宜の向上を図った伝送システムとその監視制御装置およびプロテクション機能の設定更新方法を提供することができる。
【００８３】
なお、本発明は上記実施の形態に限定されるものではない。例えば本実施形態では、ネットワークの形態の変化が検知されると現在のリングネットワークの状態を視覚的に表示してオペレータに報知し、これに応じたユーザのドメイン指定に応じたリソースに対してパーシャルリング設定を実施するようにした。これに代えて、ネットワークの形態の変化が検知されると、パーシャルリング構成を設定すべきリソースをマシン側で算出し、これに応じた設定メッセージを生成してユーザの操作を待つこと無く、自動的にコマンドを投入するようにしても良い。このようにすると全ての処理がマシン側で実行されるので、ユーザの意思を反映する余地は少なくなるものの、オペレータの負荷をさらに軽減することが可能になる。このほか、本発明の要旨を逸脱しない範囲で種々の変形実施を行うことができる。
【００８４】
【発明の効果】
以上詳述したように本発明では、リングネットワークの形態が変化するとその旨を認識手段により認識し、その結果から、ネットワーク形態の変化に対応してＡＰＳを再設定するための設定メッセージを設定メッセージ生成手段により生成し、この設定メッセージを各ノード装置に伝達手段により伝達し、この伝達された設定メッセージに応じて、ノード装置におけるプロテクション機能の設定を設定変更手段により変更するようにしている。
【００８５】
このようにしたので、ネットワーク形態の変化に伴うプロテクション機能の設定処理が自動化され、これにより運用面での便宜の向上を図った伝送システムとその監視制御装置およびプロテクション機能の設定更新方法を提供することができる。
【図面の簡単な説明】
【図１】本発明の実施の形態に係わる伝送システムの一構成例を示すシステム図。
【図２】図１に示されるノード１−１〜１−ｎの構成を示す図。
【図３】図２のＡＰＳ設定テーブル６ａを示す模式図。
【図４】図１に示される監視制御装置３の構成を示すブロック図。
【図５】本発明の実施の形態に係わる伝送システムにおける処理手順を示すフローチャート。
【図６】図５のステップＳ３において表示部６２に表示される（ＣＡＵＴＩＯＮ）画面の一例を示す図。
【図７】表示部６２に表示されるＮｅｔｗｏｒｋ　Ａｌａｒｍ　Ｓｕｍｍａｒｙ　Ｄｉｓｐｌａｙの一例を示す図。
【図８】表示部６２に表示されるＰａｒｔｉａｌ　Ｎｅｔｗｏｒｋ　Ｃｏｎｆｉｇｕｒａｔｉｏｎ　Ｓｅｔｔｉｎｇ画面の一例を示す図。
【図９】図５の処理手順の続きを示すフローチャート。
【図１０】図９の処理手順の続きを示すフローチャート。
【符号の説明】
ＳＴ−１〜ＳＴ−ｍ…局舎
ＯＦ…高速回線
ＦＬ…波長多重回線
ＭＬ…管理ネットワーク
ＳＬ…サービスライン
ＰＬ…プロテクションライン
ＬＬ…トリビュタリ伝送路
１−１〜１−ｎ…ノード
２…局舎内監視装置（ＳＳＥ）
３…監視制御装置
４…ルータ
５…制御部
５ａ…ＡＰＳ制御部
５ｂ…設定変更処理部
６…記憶部
６ａ…ＡＰＳ設定テーブル
７…管理ネットワークインタフェース
１０…送受信モジュール
１０〜１３…送受信モジュール
３１〜３ｋ…トリビュタリインタフェースシェルフ
６１…入出力部
６２…表示部
６３…インタフェース部
６４…記憶部
６５…主制御部
６５ａ…認識処理部
６５ｂ…設定メッセージ生成処理部
６５ｃ…伝達処理部
６５ｄ…把握処理部
６５ｅ…報知処理部
６５ｆ…指示受け付け処理部
２０１，２０２…タイムスロット交換部
【図１】
2004140571.tif 000003
【図２】
2004140571.tif 000004
【図３】
2004140571.tif 000005
【図４】
2004140571.tif 000006
【図５】
2004140571.tif 000007
【図６】
2004140571.tif 000008
【図７】
2004140571.tif 000009
【図８】
2004140571.tif 000010
【図９】
2004140571.tif 000011
【図１０】
2004140571.tif 000012